(57)【要約】【課題】ルアーフィッシングをするにあたり、釣糸の巻取り操作を容易にし、上記したルアーアクション操作を支障無く行なえる釣糸巻取り具を提供する。【解決手段】本発明に係る釣糸巻取り具は、釣糸が巻回されるスプールと、このスプールに釣糸を巻回する巻取り駆動機構を備えたリール本体１が取り付けられる釣竿５０に、釣竿を保持した手の指で移動操作可能な釣糸巻取り用の操作部６３ｂを設け、この操作部６３ｂとリール本体１の巻取り駆動機構とを連結して、操作部６３ｂを移動操作することでスプールに釣糸を巻回可能としたことを特徴とする。【選択図】    図１
2004290132.tif 000002
【特許請求の範囲】
【請求項１】
釣糸が巻回されるスプールと、このスプールに釣糸を巻回する巻取り駆動機構を備えたリール本体が取り付けられる釣竿に、釣竿を保持した手の指で移動操作可能な釣糸巻取り用の操作部を設け、この操作部と前記リール本体の巻取り駆動機構とを連結して、操作部を移動操作することで前記スプールに釣糸を巻回可能としたことを特徴とする釣糸巻取り具。
【請求項２】
前記操作部とリール本体の巻取り駆動機構とが一方向クラッチを介して連結されていることを特徴とする請求項１に記載の釣糸巻取り具。
【請求項３】
リール本体に設けられたスプールに、リール本体の側部に設けられた巻取り駆動機構のハンドルの回転操作で釣糸案内部を介して釣糸を巻回する魚釣用リールにおいて、
前記ハンドルの回転操作で連動回転する連結歯車を、前記リール本体の側部下面から露出させ、前記連結歯車が回転駆動されることで前記スプールに釣糸を補助的に巻回可能としたことを特徴とする魚釣用リール。
【請求項４】
前記ハンドルの駆動軸と前記連結歯車との間の動力伝達経路のいずれかに一方向クラッチを配設したことを特徴とする請求項３に記載の魚釣用リール。
【請求項５】
釣糸が巻回されるスプールと、このスプールに釣糸を巻回する巻取り駆動機構を備えたリール本体が取り付け可能な釣竿において、
前記リール本体を保持する手の指で操作可能な位置に設けられ、前記スプールに釣糸を補助的に巻回可能にする釣糸巻取り用の操作部と、この操作部に連動し、釣竿に装着されるリール本体から露出する連結駆動部と係合して操作部を操作することで生じる駆動力を伝達する動力伝達部とを具備する補助操作装置を設けたことを特徴とする釣竿。
【請求項６】
前記補助操作装置の全部、又はその一部は、釣竿に対して着脱可能であることを特徴とする請求項５に記載の釣竿。
【発明の詳細な説明】
【０００１】
【発明の属する技術分野】
本発明は、リール本体の側板間に回転自在に支持され、釣糸が巻回されるスプールに補助的に釣糸を巻取り可能にする釣糸巻取り具に関し、特に、ルアーフィッシングに適した釣糸巻取り具、並びに魚釣用リール、及びそのような魚釣用リールを装着する釣竿に関する。
【０００２】
【従来の技術】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクション（仕掛けの巻取り誘導操作）を、釣場の状況に応じて何回も繰り返し行い、魚のヒッティングを待つことになる。
【０００４】
【特許文献１】
特許第３００９０７４号公報
【特許文献２】
特許第３０２５１７２号公報。
【０００５】
【発明が解決しようとする課題】
ところで、上記した構成の魚釣用リールでルアーフィッシングを行なう場合、釣人は、上記したルアーアクション操作を、リールを握持保持した手によるロッド操作と、反対側の手による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行えない、という不具合がある。
【０００６】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００７】
本発明は、上記したような問題に基づいてなされたものであり、ルアーフィッシングをするにあたり、釣糸の巻取り操作を容易にし、上記したルアーアクション操作を支障無く行なえる釣糸巻取り具、並びに、魚釣用リール、及びそのような魚釣用リールが装着される釣竿を提供することを目的とする。
【０００８】
【課題を解決するための手段】
上記した課題を解決するために、本発明に係る釣糸巻取り具は、釣糸が巻回されるスプールと、このスプールに釣糸を巻回する巻取り駆動機構を備えたリール本体が取り付けられる釣竿に、釣竿を保持した手の指で移動操作可能な釣糸巻取り用の操作部を設け、この操作部と前記リール本体の巻取り駆動機構とを連結して、操作部を移動操作することで前記スプールに釣糸を巻回可能としたことを特徴とする。
【０００９】
この場合、上記した釣糸巻取り具においては、リール本体に設けられたスプールに、リール本体の側部に設けられた巻取り駆動機構のハンドルの回転操作で釣糸案内部を介して釣糸を巻回する魚釣用リールにおいて、前記ハンドルの回転操作で連動回転する連結歯車を、前記リール本体の側部下面から露出させ、前記連結歯車が回転駆動されることで前記スプールに釣糸を補助的に巻回可能としたことを特徴とする魚釣用リールを用いることが可能である。
【００１０】
さらに、上記した釣糸巻取り具においては、釣糸が巻回されるスプールと、このスプールに釣糸を巻回する巻取り駆動機構を備えたリール本体が取り付け可能な釣竿において、前記リール本体を保持する手の指で操作可能な位置に設けられ、前記スプールに釣糸を補助的に巻回可能にする釣糸巻取り用の操作部と、この操作部に連動し、釣竿に装着されるリール本体から露出する連結駆動部と係合して操作部を操作することで生じる駆動力を伝達する動力伝達部とを具備する補助操作装置を設けたことを特徴とする釣竿を用いることが可能である。
【００１１】
上記した構成の釣糸巻取り具、並びに魚釣用リール、及び釣竿によれば、キャスティング操作を行った後、釣竿、及びそれと共にリール本体を握持保持している側の手の指で操作部を操作することにより、そのままスプールの巻取り操作が行なえるようになる。すなわち、釣竿を操作する腕の伸縮状態や、その腕の手首の状態に何等影響を受けることなく、釣竿を握持保持している側の手の指による操作で、容易かつ微妙な釣糸の巻取り操作が行なえるようになる。また、操作部は、釣竿を握持する部分に設けていることから、釣竿を握持保持している側の手、又は釣竿を握持保持していない側のどちら側の手でも、釣糸の巻取り補助操作が行なえる。
【００１２】
【発明の実施の形態】
以下、本発明に係る実施形態を、添付図面を参照して具体的に説明する。
図１〜図６は、本発明の第１の実施形態を示す図であり、図１は、魚釣用リールを装着した釣竿の部分断面側面図、図２は、魚釣用リールのハンドル軸部分の拡大断面図、図３は、魚釣用リールを前方側から見た部分断面図、図４は、魚釣用リールの内部構成を示す平面図、図５は、釣竿のリールが装着される部分の縦断面図、そして、図６は、図５をＡ方向から見た図である。
【００１３】
本実施形態に係る魚釣用リールのリール本体１は、図示されていない連結部により一体化される左右枠２ａ，２ｂを具備するフレーム２と、各左右枠に対し所定の空間をもって装着される左右側板３ａ，３ｂとを備えている。この場合、前記フレーム２には、左右枠２ａ，２ｂ間において、釣竿５０に対して装着されるリール脚２ｃが一体形成されている。
【００１４】
前記側板の内、左側板３ａ側には、ハンドル５を装着したハンドル軸６が回転可能に支持されている。また、左右側板３ａ，３ｂ間には、釣糸が巻回されるスプール７が取り付けられたスプール軸８が回転可能に支持されており、スプール７は、前記ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。
【００１５】
上記したハンドル軸６には、スプール７に対する制動力を調節する公知のドラグ機構を操作するための回転体１５（ドラグ調節体）が設けられており、この回転体１５を回転操作することにより、釣糸繰出時のスプール回転に所望の制動力が付与されるようになっている
上記したリール本体１のスプール７前方における左右側板３ａ，３ｂ間には、巻取り駆動機構１３に連動回転し、スプール７に釣糸を平行に巻回するレベルワインド装置１７が配設されており、スプールの回転と共に、釣糸案内体１８を左右に往復動し、釣糸をスプール７に均等に巻回するようになっている。
【００１６】
前記ハンドル軸６の左枠側には、一方向クラッチ２０を介在させて一方向駆動歯車２１が装着されており、この一方向駆動歯車２１には、中間ギヤ２２を介して左枠２ａに回転可能に支持されると共に、左側板３ａの下面に形成された孔３ｃからその一部が露出された連結歯車（連結駆動部）２３が噛合している。そして、この連結歯車２３は、以下に詳述するように、釣竿５０に装着された補助操作装置６０の操作部（トリガー）６３ｂによって回転駆動されるようになっている。
【００１７】
ここで、釣竿５０、及びそれに装着される補助操作装置６０の構成について説明する。
釣竿５０の握持部領域には、前記リール脚２ｃが載置される載置面５１ａを具備したリールシート５１が装着されている。このリールシート５１は、載置面５１ａ上に載置されたリール脚を固定するように、軸方向に所定の間隔をおいて、固定フード５３と、固定フードに対して接近／離反可能な移動フード５５とを備えている。
【００１８】
また、本実施形態における補助操作装置６０は、前記リールシートと一体化され、釣竿の幅方向（軸方向と直交する方向）に延出する左右一対の突出部６１が形成されたベース６２を備えており、このベース６２には、軸方向に沿って移動可能なスライド部材６３が取り付けられている。
【００１９】
スライド部材６３には、軸方向に延出する長孔６３ａが形成されており、ここに止めネジ６４をベース６２に対して装着することで、スライド部材６３は、ベース６２に対して軸方向に移動可能で下方へ抜け止めされた状態となっている。この場合、スライド部材６３は、ベース６２との間で配設された付勢バネ６５によって、常時、前方側に向けて付勢保持されており、その付勢前方位置において、ベース６２に対して当て付け保持されている。また、スライド部材６３には、その中央位置において、下方向に突出するトリガー（操作部）６３ｂが一体形成されていると共に、前記突出部６１と平行に延出するように左右一対の突出部６３ｃが形成されている。そして、これら各突出部６３ｃの先端には、垂直上方に屈曲され、前記ベースの突出部６１に形成された軸方向に延出する長孔６１ａに係合する屈曲部６３ｄが形成されており、各屈曲部６３ｄには、上記した構成の魚釣用リールがリールシート５１に装着された際、側板下面から露出する上記した連結歯車（連結駆動部）２３と噛合されるようにラック（動力伝達部）６７が形成されている。
【００２０】
上記した構成により、釣竿５０を握持保持する側の手の指で、トリガー６３ｂを牽引操作することで、スライド部材６３は付勢バネ６５の付勢力に抗して後方側にスライド駆動され、これと共に長孔６１ａに沿って移動するラック６７によって上記した連結歯車２３は回転駆動される。
【００２１】
上記した一方向クラッチ２０は、前記一方向駆動歯車２１に嵌合されると共に楔領域と自由回転領域を具備した外輪２６と、保持器２７に保持された複数のコロ２８とを備えている。この場合、外輪２６は、上記したトリガー６３ｂを付勢バネ６５の付勢力に抗して後方に牽引した際、ラック６７から連結歯車２３及び中間歯車２２を介して一方向歯車２１に入力される回転駆動力（図２において、反時計方向の回転）をハンドル軸６に伝達するように、コロ２８を楔領域に位置させ、かつ、ハンドル軸６が巻取り駆動された際（図１及び図２において反時計方向の回転）、コロ２８を自由回転領域に位置させて、回転駆動力を一方向歯車２１に伝達しない（トリガー６３ｂを駆動しない）ように設定されている。なお、トリガー６３ｂが、付勢バネ６５の付勢力によって前方側にスライドする際、一方向歯車は、図２において、時計方向に回転駆動されるが、この際、コロ２８は自由回転領域に位置するため、ハンドル軸６を回転させることはない。
【００２２】
上記したような構成によれば、魚釣用リールのクラッチ機構をスプールフリー状態に切換えてキャスティング操作を行った後、ルアーアクションを行なうに際して、釣竿５０の握持部を保持している手の指でトリガー６３ｂを付勢バネ６５の付勢力に抗して牽引操作することで、上記したラック６７、連結歯車２３、中間歯車２２、一方向歯車２１、及び前記一方向クラッチ２０を介して、その回転駆動力がハンドル軸６に伝達されることから、クラッチ機構がスプールフリー状態から巻取り状態に切換えられると共に、そのまま連続してスプール７の微妙な巻取り操作（巻取り補助操作）が行なえるようになる。すなわち、釣竿５０を操作する腕の伸縮状態や、その腕の手首の状態に何等影響を受けることなく、釣竿を握持保持した手の指でトリガー６３ｂを牽引操作することで釣糸をスプールに巻回できるので、仕掛けの巻取り誘導操作を支障なく、迅速且つ容易に行なえるようになる。
【００２３】
そして、補助的に巻回操作を行なう操作部分は、リールを装着する部分の下方側に位置していることから、右手、又は左手のどちらの手でも容易に操作することが可能となって、操作性が一段と向上する。また、トリガー６３ｂを、一方向クラッチ２０を介在させて、スプール７を駆動する回転軸（ハンドル軸）に連結させたため、ハンドル５を巻取り操作してスプール７に釣糸を巻回する時には、トリガー６３ｂが連動することはなく、この結果、安定した保持状態を維持しながら仕掛けの巻取り誘導操作を支障なく、迅速かつ容易に行なえる。さらに、上記した構成の補助操作装置６０によれば、魚釣用リールが右ハンドルの場合であっても、図３における右側板３ｂ側に配置された反対側のラック６７を利用することが可能となり、ハンドル位置に関係なく適用することが可能となる。
【００２４】
なお、上記した魚釣用リールにおいて、連結歯車２３は、反ハンドル側の側板から突出させても良いし、一方向クラッチを配設する場合、ハンドル軸６から連結歯車２３に至るいずれかの動力伝達経路に配置しても良い。
【００２５】
図７〜図１１は、本発明の第２の実施形態を示す図であり、図７は、魚釣用リールを装着した釣竿の部分断面側面図、図８は、釣竿部分の縦断面図、図９は、魚釣用リールを前方側から見た部分断面図、図１０は、魚釣用リールの内部構成を示す側面図、そして、図１１は、図１０の主要部の拡大図である。
【００２６】
本実施形態に係る魚釣用リールは、右側板３ｂ側にハンドル５を装着すると共に、上記した構成と同様、ハンドル軸６に一方向クラッチ２０を介して取り付けられる一方向歯車２１を大径にして、その一部が右側板３ｂの下面側から露出するように構成されている。
【００２７】
また、本実施形態に係る補助操作装置は、そのスライド操作される部分が釣竿７０のリールシート７１内に組み込まれるように構成されている。
釣竿７０の握持部領域に設けられたリールシート７１は、載置面７１ａ上に載置されたリール脚を固定するように、軸方向に所定の間隔をおいて、固定フード７３と、固定フードに対して接近／離反可能な移動フード７５とを備えている。前記リールシート７１の下方側には、竿管との間で軸方向に延出する空洞部７１ｂが形成されており、ここに本実施形態における補助操作装置８０のスライド部材８３が軸方向に移動可能に配設されている。
【００２８】
スライド部材８３の略中央には、後方に向かって開口し軸方向に延出する凹所８３ａが形成されており、この凹所の内周面が、リールシート後方側に止めネジ８４によって装着された筒部材８５の筒部８５ａの外周面上をスライドできるように構成されている。この場合、前記凹所８３ａと筒部８５ａの各底部間には、付勢バネ８６が配設されており、スライド部材８３は、常時、前方側に向けて付勢保持された状態となっている。また、スライド部材８３には、その中央位置において、下方向に突出するトリガー（操作部）８３ｂが一体形成されていると共に、その幅方向両端部が上方に屈曲形成されており、この部分に上記した連結歯車（連結駆動部）２３と噛合されるようにラック（動力伝達部）８７が形成されている。
【００２９】
上記した構成により、釣竿７０を握持保持する側の手の指で、トリガー８３ｂを牽引操作することで、スライド部材８３は付勢バネ８６の付勢力に抗して後方側にスライド駆動され、これと共に移動するラック８７によって上記した連結歯車２３は回転駆動される。
【００３０】
なお、上記した一方向クラッチ２０は、第１実施形態と同様、上記したトリガー８３ｂを付勢バネ８６の付勢力に抗して後方に牽引した際、ラック８７によって一方向歯車２１に入力される回転駆動力（図１１において時計方向の回転）をハンドル軸６に伝達すると共に、ハンドル軸６が巻取り駆動された際（図１１において時計方向の回転）、回転駆動力を一方向歯車２１に伝達しない（トリガー８３ｂを駆動しない）ように構成されている。
このような構成においても、上記した実施形態と同様な作用効果が得られる。
【００３１】
以上、本発明の実施形態について説明したが、上記した補助操作装置は、釣竿のリールシート部分に一体的に組み込まれていても良く、或いは、その全部又は一部が釣竿に対して着脱可能に構成されていても良い。さらに、補助操作装置に設けられる操作部は、牽引操作する以外にも、回動操作するような構成であっても良く、その配設位置は適宜変更することが可能である。また、操作部から連結駆動部への動力伝達機構は、上記したラックを用いることなく、例えば歯車同士の噛合によって構成しても良い。さらに、上記した動力伝達部分に一方向クラッチを介在させない構成であっても良い。
【００３２】
【発明の効果】
以上説明したように、本発明の構成リールによれば、釣竿を保持した手の指で操作部を移動操作することで、リールを安定して保持した状態を維持しながら、ルアーアクション操作を迅速かつ容易に行なえるようになる。
【図面の簡単な説明】
【図１】本発明の第１の実施形態を示す図であり、魚釣用リールを装着した釣竿の部分断面側面図。
【図２】魚釣用リールのハンドル軸部分の拡大断面図。
【図３】魚釣用リールを前方側から見た部分断面図。
【図４】魚釣用リールの内部構成を示す平面図。
【図５】釣竿のリールが装着される部分の縦断面図。
【図６】図５をＡ方向から見た図。
【図７】本発明の第２の実施形態を示す図であり、魚釣用リールを装着した釣竿の部分断面側面図。
【図８】釣竿部分の縦断面図。
【図９】魚釣用リールを前方側から見た部分断面図。
【図１０】魚釣用リールの内部構成を示す側面図。
【図１１】図１０の主要部の拡大図。
【符号の説明】
１  リール本体
３ａ，３ｂ  側板
５  ハンドル
７  スプール
１３  巻取り駆動機構
２０  一方向クラッチ
２３  連結歯車（連結駆動部）
５０，７０  釣竿
６０，８０  補助操作装置
６７，８７  ラック
６３ｂ，８３ｂ  トリガー（操作部）
【図１】
2004290132.tif 000003
【図２】
2004290132.tif 000004
【図３】
2004290132.tif 000005
【図４】
2004290132.tif 000006
【図５】
2004290132.tif 000007
【図６】
2004290132.tif 000008
【図７】
2004290132.tif 000009
【図８】
2004290132.tif 000010
【図９】
2004290132.tif 000011
【図１０】
2004290132.tif 000012
【図１１】
2004290132.tif 000013